(57)【特許請求の範囲】
【請求項１】
車両の走行にしたがってモニタ上に現在位置の地図情報に基づく地図と車輌位置とを表示するとともにスピーカから音声ガイド情報に基づく所定の音声ガイドを出力して走行ガイドを行い、
上記音声ガイド情報を複数のグループにグループ分けして登録するとともに、現在位置情報に基づいて所定の音声ガイド情報を出力する音声ガイドメモリ部と、
上記音声ガイド情報の各グループに対応してそれぞれ設定され、上記音声ガイドメモリ部からの上記音声ガイド情報の出力条件を規定する音声ガイド制御情報が書換可能に登録される音声ガイド制御情報メモリ部と、
上記車両の現在位置情報と経路情報とが入力されるとともに、これらの入力情報に基づいて上記音声ガイドメモリ部と音声ガイド制御情報メモリ部とから上記音声ガイド情報と音声ガイド制御情報とが入力されて上記スピーカから所定の音声ガイドを出力させる音声ガイド処理部とを備え、
上記音声ガイド処理部において、上記音声ガイドメモリ部から供給される所定グループの上記音声ガイド情報と上記音声ガイド制御情報メモリ部から供給される上記音声ガイド制御情報とに基づいて、上記スピーカからの上記音声ガイドの出力を制御するナビゲーション装置。
【請求項２】
複数の使用者をそれぞれ識別する使用者情報識別部を備え、複数の使用者毎に作成された上記音声ガイド制御情報が、上記使用者情報識別部によって個別に識別されて上記音声ガイド制御情報メモリ部にそれぞれ登録されるとともに、
上記使用者情報識別部によって識別された使用者情報に基づいて、上記音声ガイド処理部において、上記音声ガイド制御情報メモリ部から出力される個別の音声ガイド制御情報により上記音声ガイドメモリ部の所定の音声ガイド情報を選択して上記スピーカからの出力が行われる請求項１に記載のナビゲーション装置。
【請求項３】
音声ガイド制御情報入力部を備え、上記音声ガイド制御情報が、使用者によって作成された情報記録媒体に記録され、この情報記録媒体が上記音声ガイド制御情報入力部に装填されることにより上記音声ガイド制御情報メモリ部に登録される請求項１に記載のナビゲーション装置。
【請求項４】
上記音声ガイド制御情報メモリ部に、車載オーディオ機器からの出力条件を規定するオーディオ出力制御情報が書換可能に登録され、
オーディオ出力制御情報に基づいて、上記音声ガイド処理部を介して上記車載オーディオ機器からのスピーカ出力が制御される請求項１に記載のナビゲーション装置。
【請求項５】
上記音声ガイド制御情報が、走行場所、地域、時間帯、天候或いは車両の走行速度の少なくともいずれか１つを選択要件として個々に設定される請求項１に記載のナビゲーション装置。
【発明の詳細な説明】
【０００１】
【発明の属する技術分野】
本発明は、自動車等に搭載されて目的地までの走行経路等をモニタに表示される地図とスピーカから出力される音声とによりガイドするナビゲーション装置に関する。
【０００２】
【従来の技術】
ナビゲーション装置は、グローバル・ポジショニング・システム（ＧＰＳ）や各種センサからの情報に基づいて現在位置情報が生成され、この現在位置情報が予め記憶された地図情報に基づいてモニタに表示された地図上にスポット等で表示されるとともに走行に伴って刻々と移動することによって経路案内を行うようにする。ナビゲーション装置は、渋滞の状況等もＧＰＳから取り込んで地図上に表示するといった機能も有している。さらに、ナビゲーション装置は、例えばドライブ旅行等に際して目的地情報を入力すると、出発地から目的地までの最適な走行ルートを探索してそのガイドを行う自動ルート探索機能も備えられる。
【０００３】
ナビゲーション装置においては、モニタによる地図と現在位置との表示機能ばかりでなく、運転者に対する音声によるガイドを行う音声ガイド機能も有している。かかる音声ガイド機能は、現在位置情報に基づいて音声ガイドメモリ部から所定の音声ガイド情報が選択され、目印ポイントとなるバス停や交差点等の名称や所用時間或いは直進・右左折等の音声ガイドをスピーカから出力する。音声ガイド機能は、必要に応じて音声ガイドを繰り返し出力することを可能とする。したがって、ナビゲーション装置においては、運転者がモニタ画面を注視することなく、適切な走行ガイドが行われるようにする。
【０００４】
【発明が解決しようとする課題】
ところで、ナビゲーション装置は、例えば近所の買い物等で車を使用する場合にはわざわざガイドも不要であることから、リモートコントローラを操作して電源を切りバッテリ負荷を低減する措置が講じられる。ナビゲーション装置においては、音声ガイド機能や交差点拡大機能等の付加機能について、リモートコントローラの操作によってオン・オフ制御することも可能である。ナビゲーション装置においては、例えば通勤路等で走り慣れた道路ではあるが途中の渋滞情報等の入手を必要とする場合に、聞き慣れた音声ガイドが煩わしいことから音声ガイドの機能が停止される。
【０００５】
したがって、ナビゲーション装置においては、音声ガイド機能の要否に応じてその都度リモートコントローラによるオン・オフ制御の切替操作が必要であり、その切替操作を忘れて的確な音声ガイドを聞き損なって道を間違えたりリモートコントローラを探すといった手間があった。ナビゲーション装置においては、例えばドライブ旅行等の場合に音声ガイド機能を、自宅付近ではオフ操作とするとともに慣れない場所ではオン操作するといった手間が必要であった。ナビゲーション装置においては、例えば渋滞場所では音声ガイドが邪魔となるがこれを抜けて順調に走行が行われると音声ガイドが必要となることがあり、音声ガイド機能の切替操作に手間がかかっていた。
【０００６】
さらに、ナビゲーション装置においては、使用者が特定の走行区間や到着予定時間等のような特定の場合においてのみ音声によるガイドを必要とすることがあるが、必要な都度音声ガイド機能のオン・オフ制御の切替操作を行わなければならない煩わしさがあった。ナビゲーション装置においては、走行に伴って所定の音声ガイドが行われることから必要な音声ガイドが出力されるまでオン状態が保持され、その間不要な音声ガイドが行われることになる。
【０００７】
したがって、本発明は、使用者が走り慣れた道路の走行時等のように特に音声ガイドが不要な場合にその出力を自動的に停止するようにして運転に注意が集中されるようにするナビゲーション装置を提供することを目的に提案されたものである。
【０００８】
【課題を解決するための手段】
上述した目的を達成する本発明にかかるナビゲーション装置は、車両の走行にしたがってモニタ上に現在位置の地図情報に基づく地図と車輌位置とを表示するとともにスピーカから音声ガイド情報に基づく所定の音声ガイドを出力して走行ガイドを行う。ナビゲーション装置は、音声ガイド情報を複数のグループにグループ分けして登録するとともに現在位置情報に基づいて所定の音声ガイド情報を出力する音声ガイドメモリ部と、音声ガイド情報の各グループに対応してそれぞれ設定され音声ガイドメモリ部からの音声ガイド情報の出力条件を規定する音声ガイド制御情報が書換可能に登録される音声ガイド制御情報メモリ部と、車両の現在位置情報と経路情報とが入力されるとともにこれらの入力情報に基づいて音声ガイドメモリ部と音声ガイド制御情報メモリ部とから音声ガイド情報と音声ガイド制御情報とが入力されてスピーカから所定の音声ガイドを出力させる音声ガイド処理部とを備えてなる。
【０００９】
以上のように構成された本発明にかかるナビゲーション装置によれば、車両の走行に伴って音声ガイド処理部に現在位置情報と経路情報とが逐次入力される。ナビゲーション装置においては、これら入力情報に基づいて音声ガイド処理部に対して順次、音声ガイドメモリ部から所定の音声ガイド情報が供給されるとともに音声ガイド制御情報メモリ部から所定の音声ガイド制御情報が供給される。ナビゲーション装置においては、音声ガイド処理部において音声ガイド制御情報に基づいてグループ分けされた音声ガイド情報の出力の要否が判断される。ナビゲーション装置においては、音声ガイド処理部において出力要と判断された音声ガイド情報に基づく音声ガイドがスピーカから出力される。したがって、ナビゲーション装置によれば、予め設定した条件に基づいて音声ガイド出力が自動的に制御される。
【００１０】
【発明の実施の形態】
以下、本発明の実施の形態として図面に示したナビゲーション装置１について詳細に説明する。ナビゲーション装置１は、図１に示すように、従来のナビゲーション装置と同様に装置本体と、モニタ２と、スピーカ３と、リモートコントローラ４等の各機器によって構成される。ナビゲーション装置１は、車両の端子ボックスやシガーライタ部と接続されて電源の供給を受ける。ナビゲーション装置１は、スピーカ３がモニタ２内に内蔵され、モニタ２がダッシュボード上に設置される。ナビゲーション装置１は、装置本体が例えば座席シートの下やトランク内に設置される。
【００１１】
ナビゲーション装置１は、車載オーディオ機器５と接続され、そのオーディオ出力制御部６に対して制御信号を出力する機能も有している。ナビゲーション装置１においては、後述する設定操作によって音声ガイドの出力を制御する設定条件と同様に、例えば走行場所、地域、時間帯、天候或いは車両の走行速度等の条件毎に車載オーディオ機器５の電源を制御したり一時的に出力を停止するミュート制御を行う。ナビゲーション装置１は、例えば交差点や高速道路のランプ等において車載オーディオ機器５の出力を停止することにより、使用者が運転に集中出来るようにする。
【００１２】
ナビゲーション装置１には、地図情報やバージョンアップ情報等を記録した光ディスクや多目的光ディスク或いは音楽ディスク等の情報ディスク７が装置本体に設けた地図情報入力部８に装填される。ナビゲーション装置１においては、地図情報入力部８において情報ディスク７に記録された地図情報等を再生して画像情報処理部９内の地図データメモリ部に格納する。ナビゲーション装置１においては、詳細を省略するが画像情報処理部９において後述する現在位置情報に基づいて所定の地図画像情報を地図データメモリ部から読み出し、画像情報出力制御部１０を介してモニタ２に現在位置の地図を表示する。なお、ナビゲーション装置１においては、説明の便宜上、地図情報等を格納する地図データメモリ部を画像情報処理部９内に設けることとしたが、一般には独立のメモリによって構成される。
【００１３】
ナビゲーション装置１には、時計入力部１１、ＧＰＳ受信ユニット１２、車速センサ１３或いは方位センサ１４等の入力部を有しており、これら各入力部から出力される信号に基づいて現在位置情報検出部１５において現在位置情報が生成される。時計入力部１１は、コンピュータに内蔵されてクロック信号を出力する機能を示し、時報情報に基づいて自動修正が行われるとともにモニタ２に現在時刻等を表示させる。ＧＰＳ受信ユニット１２は、車両のリアトレィやトランクリッド等に取り付けられたＧＰＳアンテナによりＧＰＳ衛星からの電波を受信して現在位置情報等を取得する。車速センサ１３は、例えば車軸等に取り付けられてその回転数を検出することにより、車両の走行速度に対応した信号を出力する。方位センサ１４は、例えばリングレーザジャイロ等からなり、車両の進行方向に対応した信号を出力する。
【００１４】
現在位置情報検出部１５は、各入力部から供給される信号に基づいて現在位置の経度・緯度情報からなる現在位置情報を逐次生成して画像情報処理部９へと出力する。ナビゲーション装置１においては、現在位置情報検出部１５から走行に伴って刻々と変化する現在位置情報が画像情報処理部９に出力されることによって、画像情報出力制御部１０を介してモニタ２に表示された地図のスクロール動作が行われる。ナビゲーション装置１においては、現在位置情報に基づいて画像情報処理部９において例えば所定の交差点や目的地の周辺等の拡大地図情報が生成されて画像情報出力制御部１０を介して当該地図情報に基づく地図をモニタ２に表示する。
【００１５】
ナビゲーション装置１においては、使用者等によりリモートコントローラ４を操作して例えば目的地データの設定が予め行われている場合には、経路情報生成部１６において現在位置情報検出部１５から出力される現在位置情報と画像情報処理部９の地図データメモリ部に格納された道路網データとから最適ルートの探索が行われる。ナビゲーション装置１においては、経路情報生成部１６から最適経路情報が画像情報処理部９へと供給され、画像情報出力制御部１０を介してモニタ２に最適経路の地図表示を行うようにする。
【００１６】
ナビゲーション装置１においては、車両の現在位置と車速、進行方向に応じてモニタ２に地図表示が行われるとともに、適宜の音声ガイドがスピーカ３から出力される。ナビゲーション装置１においては、現在位置情報検出部１５から現在位置情報が音声ガイド処理部１７へと出力され、例えばポイントとなる交差点等に近づくと、音声ガイド情報出力制御部１８を介してスピーカ３から、所定のタイミングで「間もなく○○交差点です」「□□バス停前です」等の音声ガイドが行われる。
【００１７】
ナビゲーション装置１においては、現在位置情報検出部１５から出力される現在位置情報に基づいて音声ガイド処理部１７に音声ガイドメモリ部１９から所定の音声ガイド情報が出力され、この音声ガイド処理部１７から音声ガイド情報出力制御部１８を介して上述したような所定の音声ガイドをスピーカから出力する。音声ガイドメモリ部１９は、音声ガイドデータのメモリ部と、音声合成部等からなる。音声ガイドメモリ部１９には、詳細を省略するがメモリ部内に、例えばランプ入口、交差点、右折や左折等の各ポイントに応じた所定のコードと、このコードに対応して音声ガイドの基本パターン情報とが登録されている。
【００１８】
ナビゲーション装置１においては、現在位置情報検出部１５からランプ名や交差点名を特定する現在位置情報が音声ガイド処理部１７に入力されると、この音声ガイド処理部１７から音声ガイドメモリ部１９に対して出力指示信号が出力される。ナビゲーション装置１においては、この出力指示信号に基づいて音声ガイドメモリ部１９から所定の基本音声ガイドパターン情報が選択されて音声ガイド処理部１７に供給されるとともに、この基本パターンに対して音声合成部で作成されたランプ名や交差点名が合成されて所定の音声ガイド情報が生成される。ナビゲーション装置１においては、上述したように音声ガイド処理部１７からの音声ガイド情報に基づいて、音声ガイド情報出力制御部１８を介して所定の音声ガイドをスピーカ３から出力する。
【００１９】
なお、ナビゲーション装置１は、上述した構成によって所定の音声ガイドを出力することに限定されるものではないことは勿論であり、適宜の処理によって所定の音声ガイドが出力される。また、ナビゲーション装置１においては、音声ガイド情報出力制御部１８と画像情報出力制御部１０との間において、音声ガイド情報の出力のタイミングと地図画像情報の出力のタイミングとの調整が図られる。
【００２０】
ナビゲーション装置１においては、例えば目的地データの設定が予め行われている場合に、音声ガイド処理部１７に対して、現在位置情報検出部１５からの現在位置情報とともに経路情報生成部１６によって生成された最適経路情報が供給される。ナビゲーション装置１においては、上述したように現在位置情報に基づいて所定の音声ガイドがスピーカから出力されるとともに、最適経路情報に基づいて走行に伴って所定のポイント毎に所定の音声ガイド、例えば「目的地までおよそ○○分です」「次の交差点を左折です」等の音声ガイドがスピーカから出力される。
【００２１】
ナビゲーション装置１においては、音声ガイドの出力を制御する音声ガイド制御情報を記録する音声ガイド制御情報メモリ部２０を備える。音声ガイド制御情報メモリ部２０は、後述するようにリモートコントローラ４の設定操作によって作成される音声ガイド制御情報が書換可能に登録される。音声ガイド制御情報メモリ部２０は、現在位置情報検出部１５からの現在位置情報に基づいて音声ガイド処理部１７に対して音声ガイド制御情報を出力する。
【００２２】
音声ガイド制御情報は、各ポイントで出力する音声ガイドについて、個々に出力要否を設定する制御情報と、例えば走行場所、地域、時間帯、天候或いは車両の走行速度等を選択要件として出力要否を設定する制御情報からなる。ナビゲーション装置１においては、通勤で通い慣れた道路や地域で車両の運転を行う場合に、細々とした音声ガイドを不要とする音声ガイド制御情報の設定が行われる。ナビゲーション装置１においては、夜間時や雨天時等で周囲の状況が見にくい状況の場合に、音声ガイドが行われるようにする音声ガイド制御情報の設定が行われる。ナビゲーション装置１においては、渋滞中での音声ガイドが行われないようにする音声ガイド制御情報の設定が行われる。ナビゲーション装置１においては、その他の種々の音声ガイド制御情報の設定が可能である。
【００２３】
ナビゲーション装置１においては、音声ガイド制御情報を、使用者毎に個別に作成することも可能であり、この場合使用者を識別する識別情報（ＩＤ情報）とともに音声ガイド制御情報メモリ部２０に登録される。ナビゲーション装置１においては、このために使用者を識別するためのＩＤ識別部２１を備えている。ナビゲーション装置１においては、運転時にリモートコントローラ４によってＩＤ識別部２１に識別コードを入力することにより、固有の音声ガイド制御情報に基づく音声ガイドの出力制御が行われるようになる。ナビゲーション装置１においては、識別コードの入力が行われなかったりＩＤ識別部２１において登録された識別コードが検出されなかった場合に、通常モードによる音声ガイドが行われるようになる。
【００２４】
ナビゲーション装置１においては、ＩＤ識別部２１において識別コードの検出が行われると、音声ガイド処理部１７に対して識別コード情報が出力される。ナビゲーション装置１においては、この識別コード情報に基づいて音声ガイド制御情報メモリ部２０から使用者に対応する個別の音声ガイド制御情報が音声ガイド処理部１７に出力される。したがって、ナビゲーション装置１においては、１台の車両を複数で使用する場合に、各使用者毎に極めの細かい音声ガイド制御情報の設定を行うことが可能であるとともに、各使用者が戸惑わずに利用することが可能となる。
【００２５】
ナビゲーション装置１においては、音声ガイド処理部１７において音声ガイド制御情報メモリ部２０に登録された音声ガイド制御情報と現在位置情報検出部１５から出力された現在位置情報との照合が行われ、音声ガイドが不要と判断された場合に音声ガイドメモリ部１９からの音声ガイド情報の出力を停止する。ナビゲーション装置１においては、車両が例えば所定の交差点付近まで走行すると、通常モードの状態では「間もなく○○交差点です」の音声ガイドが行われる。
【００２６】
ナビゲーション装置１においては、使用者が通い慣れた道路であり交差点毎の音声ガイドを不要と判断して予め交差点での音声ガイドを不要とする音声ガイド制御情報を音声ガイド制御情報メモリ部２０に予め登録している場合には、この音声ガイド制御情報に基づいて上述した「間もなく○○交差点です」の音声ガイドの出力が行われない。ナビゲーション装置１においては、同一の交差点を走行する場合であっても、時間帯による音声ガイド制御情報の設定が行われることにより、例えば夜間時においては音声ガイドが行われるようになる。
【００２７】
ナビゲーション装置１においては、上述した音声ガイド制御情報の設定及び登録操作をリモートコントローラ４によって行うばかりでなく、例えばパーソナルコンピュータ等を利用して作成された音声制御ディスク２２を音声ガイド制御情報入力部２３に装填することによって音声ガイド制御情報メモリ部２０に登録することも可能である。音声ガイド制御情報入力部２３は、音声制御ディスク２２が上述した情報ディスク７と同一仕様のディスクである場合には、装置本体に設けられた情報ディスク７が装填される地図情報入力部８が兼用される。
【００２８】
なお、ナビゲーション装置１においては、図示しないが情報通信用の無線受信モジュールやコネクタ端子部を備え、これらを入力部として例えばパーソナルコンピュータによって作成された音声ガイド制御情報の設定及び登録操作を行うようにしてもよい。ナビゲーション装置１においては、上述した入力部を介して地図情報やバージョンアップ情報等を入力するようにしてもよい。
【００２９】
ナビゲーション装置１においては、リモートコントローラ４やパーソナルコンピュータによって音声ガイド制御情報メモリ部２０から図２に示す音声ガイド情報テーブル２５を読み出し、この音声ガイド情報テーブル２５のガイドにしたがって音声ガイド制御情報の設定が行われる。音声ガイド情報テーブル２５には、各基本音声ガイドパターンに割り付けたコード番号を表示するコード番号表示欄２６と、各コード番号に対応した音声ガイド項目を表示する音声ガイド項目表示欄２７と、各音声ガイド項目に対応した出力要否マークを表示する出力要否マーク表示欄２８とが一覧で表示されている。音声ガイド情報テーブル２５には、一覧表に並んで操作ガイドや出力要否マーク２８の対照一覧等を表示するガイド欄２９が表示される。
【００３０】
ナビゲーション装置１においては、音声ガイド情報テーブル２５の読出し操作に際して、コード番号表示欄２６のコード番号と音声ガイド項目表示欄２７の音声ガイド項目の全ての読出或いは出力「否」の設定項目のみの読出等の適宜の様式を選択することが可能である。ナビゲーション装置１は、図２に示した音声ガイド情報テーブル２５の第１行目に表示されるように、コード番号「００９」、「ランプ入口ガイド」、「×」の設定状態では高速道路のランプ入口付近での音声ガイドが行われない仕様となっている。ナビゲーション装置１は、第２行目に表示されるように、コード番号「０１５」、「交差点ガイド」、「□」の設定状態では夜間時や雨天時においてのみ交差点の音声ガイドが行われる仕様となっている。
【００３１】
ナビゲーション装置１においては、例えば高速道路のランプ入口ガイドについて、ランプ名のガイド、接近のガイド或いは進入指示のガイド等のように多様の音声ガイドを行う機能を有している。ナビゲーション装置１においては、各音声ガイド項目についてグループ分けして、図３に示す音声ガイド情報テーブル３０のように各音声ガイドがどのグループに属するかをグループ表示欄３１によって表示するようにしてもよい。ナビゲーション装置１においては、詳細を省略するが各グループ単位で設定状態を表示する音声ガイド情報テーブルを選択することも可能である。
【００３２】
ナビゲーション装置１においては、モニタ２に音声ガイド情報テーブル２５を表示し、リモートコントローラ４によって音声ガイド項目２７を指定した後に出力要否の入力が行われる。音声ガイド情報テーブル２５は、図２に示すように第２行目の「交差点ガイド」項目が指定されると、その表示が白黒反転されるとともに出力要否欄２８の出力要否マークがフラッシュする。ナビゲーション装置１においては、この状態で出力要否のコード、すなわち出力要の「１」を入力することによって出力要否欄２８の出力要否マークが「□」から「○」に変換する。ナビゲーション装置１においては、以下必要な各音声ガイド項目２７について出力要否の設定操作を行った後に、登録操作を行うことで更新された音声ガイド制御情報の登録が行われる。
【００３３】
音声ガイド制御情報の設定操作は、リモートコントローラ４によりモニタ２にメニューの呼出を行い、このメニューの中から「音声ガイド制御情報の設定」を選択することによって行う。ナビゲーション装置１においては、図４に示すようにリモートコントローラ４によってＩＤコードを入力する操作を第１ステップとする（ｓ−１）。ナビゲーション装置１においては、ＩＤ識別部２１において、入力されたＩＤコードと登録済みＩＤコードとの識別を行う（ｓ−２）。
【００３４】
ナビゲーション装置１においては、登録済みのＩＤコードがＩＤ識別部２１で識別されると、音声ガイド制御情報メモリ部２０から当該ＩＤコードに基づく登録済みの音声ガイド情報テーブル２５の読み出しを行う（ｓ−３）。ナビゲーション装置１においては、この音声ガイド情報テーブル２５を音声ガイド処理部１７、画像情報出力制御部１０を介してモニタ２に表示する（ｓ−４）。
【００３５】
ナビゲーション装置１においては、リモートコントローラ４により音声ガイド情報テーブル２５の各音声ガイド項目２７に対して上述した出力要否コードの設定操作が行われる（ｓ−５）。ナビゲーション装置１においては、必要とする音声ガイド項目２７に対する出力要否コードを設定する音声ガイド制御情報の設定操作を終了して登録操作が行われることによって、更新され或いは新たに設定された音声ガイド制御情報が音声ガイド制御情報メモリ部２０に登録される（ｓ−６）。ナビゲーション装置１においては、リモートコントローラ４によりモニタ２にメニューの呼出を行い、このメニューの中から「終了」を選択することによって音声ガイド制御情報の設定操作を終了する。
【００３６】
ナビゲーション装置１においては、上述したＩＤ識別ステップにおいて一致するＩＤコードが識別されなかった場合には、モニタ２に登録情報が無い旨の適宜の表示及びスピーカ３から同様の音声ガイド出力を行うアラーム出力が行われる（ｓ−７）。ナビゲーション装置１においては、使用者によって例えばモニタ２に表示された「確認」をクリックする確認操作が行われると（ｓ−８）、次ステップのガイドメニュー画面が表示される。ガイドメニュー画面には、図示しないが、例えば「終了」、「標準モード」、「新規登録」の項目が表示される。
【００３７】
ナビゲーション装置１においては、このメニューの中からリモートコントローラ４によって「終了」を選択することにより音声ガイド制御情報の設定操作が自動的に終了してモニタ２が初期状態となる。ナビゲーション装置１においては、このメニューの中からリモートコントローラ４によって「標準モード」を選択することにより、標準モード仕様に切り替わり（ｓ−９）、音声ガイド制御情報の設定操作が自動的に終了する。ナビゲーション装置１においては、このメニューの中からリモートコントローラ４によって「新規登録」を選択することによって「ＩＤコード」設定の手順が表示され、この手順にしたがってＩＤコードの新規登録が行われるようにする（ｓ−１０）。ナビゲーション装置１においては、以下上述した手順にしたがって新規の音声ガイド制御情報の設定操作が行われる。
【００３８】
なお、ナビゲーション装置１においては、ＩＤ識別を第１ステップとしたが、例えばある使用者が車両を専用的に使用する場合等においてはＩＤ識別を不要とすることからＩＤ識別ステップを省略するようにしてもよい。また、ナビゲーション装置１においては、ＩＤ識別ステップにおいて登録済みのＩＤコードが識別されなかった場合に、音声ガイドの出力要否が標準仕様に設定された音声ガイド情報テーブル２５をモニタ２に表示するようにしてもよい。ナビゲーション装置１においては、この場合設定操作の途中或いは登録操作に際して音声ガイド情報テーブル２５の所定欄にＩＤコードが入力されるようにする。
【００３９】
なお、本発明は、上述したナビゲーション装置１の構成に限定されるものでは無いことは勿論である。ナビゲーション装置１は、地図画像の生成とモニタ表示の処理方法或いは音声ガイドの生成やスピーカ出力の処理方法等について、適宜の方法が採用される。ナビゲーション装置１は、例えばマイクロホンやＣＣＤカメラを搭載して、これらによって作成した画像や音声を処理する機能や、渋滞情報サービスの受信ユニット或いはＦＭ多重放送等の受信ユニットを備えるとともにその処理を音声ガイド制御情報によって処理するようにしてもよい。
【００４０】
また、上述したナビゲーション装置１においては、地図データメモリ部と独立して音声ガイドメモリ部１９や音声ガイド制御情報メモリ部２０を設けたが、それぞれ独立して設ける必要は無い。ナビゲーション装置１は、１個のメモリ部を備え、このメモリ部内にそれぞれのデータや情報が格納、記憶される。
【００４１】
【発明の効果】
以上詳細に説明したように、本発明によれば、走り慣れた道路の走行時や渋滞時或いは時間帯等の条件に応じて予め設定した音声ガイド制御情報に基づいてスピーカからの音声ガイドの出力が制御されることから、不要時に音声ガイドによる煩わしさが排除されて運転に注意力を集中させるようにして安全走行が行われるようにする。
【図面の簡単な説明】
【図１】本発明にかかるナビゲーション装置の要部構成図である。
【図２】音声ガイド情報テーブルの表示説明図である。
【図３】他の音声ガイド情報テーブルの表示説明図である。
【図４】同ナビゲーション装置における音声ガイド制御情報の設定操作フローチャートである。
【符号の説明】
１ナビゲーション装置、２  モニタ、３  スピーカ、４  リモートコントローラ、５  車載オーディオ装置、６  オーディオ出力制御部、７  情報ディスク、８  地図情報入力部、９  画像情報処理部、１０  画像情報出力制御部、１１  時計入力部、１２  ＧＳＰ入力部、１３  車速センサ、１４  方位センサ、１５  現在位置情報検出部、１６  経路情報生成部、１７  音声ガイド処理部、１８  音声ガイド情報出力制御部、１９  音声ガイドメモリ部、２０  音声ガイド制御情報メモリ部、２１  ＩＤ識別部、２２  音声制御ディスク、２３  音声ガイド制御情報入力部、２５  音声ガイド情報テーブル、３０  音声ガイド情報テーブル
【図１】
0004348852.tif 000002
【図２】
0004348852.tif 000003
【図３】
0004348852.tif 000004
【図４】
0004348852.tif 000005